(57)【要約】      （修正有）【課題】従来の介護パンツは、尿をパンツ内で吸收し、股口から洩れないようにしているが、尿量が多い時、また、歩行時、介護パンツの下部が飽和状態になって下もれする。【解決手段】介護パンツの股口に、下もれ防止筒を縫着するか貼着し、または着脱自在に取り付けて解決した。これにより、介護パンツが下もれしても、尿吸水綿筒が、階段的に吸收するので、どんな状況でも、下もれしない。したがって、旅行時に着用すれば、快適な旅行をすることができる。また、着脱方式の下もれ防止筒の場合は、必要に応じて着脱できるので、使用上便利である。【選択図】図１
2020051015.tif 000002
【特許請求の範囲】
【請求項１】
介護パンツと同質の不透水外皮で、下部に内側向けの反りを付けた、筒状の下もれ防止筒を形成し、該上部は、筒のままの縫い代とし、該縫い代下部と反り間の内周に、尿吸水綿筒を数段貼着し、また、介護パンツの両股口を下方に延長すると共に、該股口の下部に内側向けの反りを付け、該反りと介護パンツ下部の反り間の内周に、尿吸水綿筒を貼着し、而して、縫い代を股口に被せ、縫着するか貼着したことを特徴とする介護パンツ用下もれ防止筒。
【請求項２】
下もれ防止筒を、現在型の短かい股口に被せ、縫着するか貼着したことを特徴とする請求項１記載の介護パンツ用下もれ防止筒。
【請求項３】
下もれ防止筒上部の縫い代の外周数ヶ所に、マジックテープの下部を縫着するか貼着し、両股口には、マジックテープの接着面を縫着するか貼着したことを特徴とする請求項１記載の介護パンツ用下もれ防止筒。
【請求項４】
股口の上部周辺と、縫い代の上部周辺に、太めのゴムで形成したゴム輪を取り付け、下もれ防止筒の着用後、下もれ防止筒のゴム輪を、股口のゴム輪の上に掛けるようにしたことを特徴とする請求項３記載の介護パンツ用下もれ防止筒。
【請求項５】
股口の上部周辺に、数箇のボタンを取り付け、また、下もれ防止筒の上部周辺に、吊りひも、または、ゴム等を付け、下もれ防止筒の着用時に、吊りひも、または、ゴム等をボタンに掛け、下もれ防止筒がずり下らないようにしたことを特徴とする請求項３記載の介護パンツ用下もれ防止筒。
【請求項６】
前記下もれ防止筒と尿吸水綿筒を外出用として薄く形成したことを特徴とする請求項１記載の介護パンツ用下もれ防止筒。
【発明の詳細な説明】
【技術分野】
【０００１】  本発明は、介護パンツ用下もれ防止筒に関する。
【背景技術】
【０００２】  従来の介護パンツは、尿をパンツ内で吸收し、股からもれないようにしているが、尿量や回数が多い時、また、歩行時下もれする。また、下もれするのではないかと不安を感じる。
特に、サイズが合はず、一段上のサイズを着用した時は、股口は「ユルユル」の状態になるため、更に、下もれし、また、下もれするのではないかと不安を感じる。
【先行技術文献】
【０００３】１、特許第６１８２７００号  下もれ防止付き介護パンツ
２、特許第６２５１１５０号  股ずれ防止付き介護用品
【発明の概要】
【発明が解決しようとする課題】
【０００４】  先行技術文献１の下もれ防止付き介護パンツは、介護パンツと尿吸水綿筒を一体に形成しているが、今回の発明は、別々に形成し、製作しやすくすると共に尿吸水綿筒を必要に応じて、使用できるようにすることを目的とする。
【課題を解決するための手段】
【０００５】  実施例１の図１は、介護パンツと同質の不透水外皮で、下部に、内側向けの反りを付けた筒状の下もれ防止筒を形成し、該上部は、筒のままの縫い代とし、該縫い代下部と反り間の内周に、尿吸水綿筒を数段貼着し、また、介護パンツの両股口を下方に延長すると共に、該股口の下部に内側向けの反りを付け、該反りと介護パンツ下部の反り間の内周に、尿吸水綿筒を貼着し、而して、縫い代を股口に被せ、縫着するか貼着したものである。【０００６】  実施例２の図２は、実施例１の下もれ防止筒を、現在型の短かい股口に被せ、縫着するか、貼着したものである。【０００７】  実施例３の図３は、縫い代の外周数ヶ所に、マジックテープの下部を縫着するか貼着し、両股口には、マジックテープの接着面を縫着するか貼着し、而して、縫い代を股口に被せ、マジックテープの上部を、両股口のマジックテープの接着面に接着するようにしたものである。【０００８】  実施例３は、介護パンツと下もれ防止筒の接続を、マジックテープで行うようにしたが、次の方式でも実施可能である。【０００９】  すなわち、応用実施例１は、股口の上部周辺と、縫い代の上部周辺に、太めのゴムで形成したゴム輪を取り付け、下もれ防止筒の着用後、下もれ防止筒のゴム輪を、股口のゴム輪の上に掛け、下もれ防止筒がずり下らないようにしたものである。【００１０】  応用実施例２は、股口の上部周辺に、数箇のボタンを取り付け、また、下もれ防止筒の上部周辺に、吊りひも、または、ゴム等を付け、下もれ防止筒の着用時に、吊りひも、または、ゴム等をボタンに掛け、下もれ防止筒がずり下らないようにしたものである。【００１１】  応用実施例３は、外出用として、下もれ防止筒と尿吸水綿筒を薄く形成し、外出時に、ズボン等がふくらまないようにしたものである。
【発明の効果】
【００１２】  実施例１（図１）は、介護パンツと下もれ防止筒を別々に形成し、而して、縫着するか貼着して使用する。
したがって、介護パンツと下もれ防止筒は、一体化されるので、尿量が多い時、歩行や就寝時に、下もれしても、尿吸水綿筒が吸收する。
尚、且、下もれ防止筒内に、中間伝いもれ防止と、反りがあるので、下もれが多くても、階段的に食い止め、下もれを完全に防止する。【００１３】  実施例２（図２）は、下もれ防止筒を、現在型の短かい股口にも、取り付けられるようにしたので、下もれ防止筒の利用範囲を広げることができる。【００１４】  実施例３（図３）は、介護パンツ着用時、下もれ防止筒をマジックテープで、簡単に接続するようにしたので、下もれ防止筒を、必要に応じて使用することができる。
従って、外出時や不安の時に着用して好適である。
特に、旅行時に着用すれば、トイレや尿量に心配なく、快適な旅行を楽しむことができる。
また、応用実施例３は、下もれ防止筒を薄く形成したので、ズボン等がふくらまないので、旅行時に、安心して着用することができる。
【図面の簡単な説明】
【００１５】
【図１】  実施例１の一部縦断正面図
【図２】  実施例２の一部縦断正面図
【図３】  実施例３の正面図
【発明を実施するための形態】
【００１６】  実施例１（図１）の１は、介護パンツ５と同質の不透水外皮で形成した下もれ防止筒で、該下もれ防筒１の上部は、筒のままの縫い代２とし、下部は反り３を内側に向けて形成している。また、縫い代２下部と反り３間の内周に、尿吸水綿筒４を貼着している。また、介護パンツ５の両股口６を下方に延長し、而して、縫い代２を股口６に被せ、縫着するか貼着している。
また、股口６下部の反り３と、介護パンツ５下部の反り３間の内周に尿吸水綿筒４を貼着している。７は、中間伝いもれ防止で、尿吸水綿筒４の中間部または、数段介在する。
【００１７】  実施例２（図２）は、実施例１（図１）の下もれ防止筒１を、現在型の短い股口６に被せ、縫着するか、貼着している。
【００１８】  実施例３（図３）は、縫い代２の外周数ヶ所に、マジックテープ８の下部を縫着するか貼着し、両股口６には、マジックテープ８が接着する面を縫着するか貼着している。而して、縫い代２を股口６に被せ、マジックテープ８の上部を、両股口６のマジックテープ８のマジックテープの接着面に接着している。
【００１９】  以上の実施例１（図１）において、股口６に、尿吸水綿筒４を貼着するようにしたが、場合により貼着しなくてよい。
【符号の説明】
【００２０】  １  下もれ防止筒
２  縫い代
３  反り
４  尿吸水綿筒
５  介護パンツ
６  股口
７  中間伝いもれ防止
８  マジックテープ
【図１】
2020051015.tif 000003
【図２】
2020051015.tif 000004
【図３】
2020051015.tif 000005
【手続補正書】
【提出日】令和1年9月9日(2019.9.9)
【手続補正１】
【補正対象書類名】明細書
【補正対象項目名】全文
【補正方法】変更
【補正の内容】
【発明の詳細な説明】
【技術分野】
【０００１】  本発明は、介護パンツ用下もれ防止筒に関する。
【背景技術】
【０００２】  従来の介護パンツは、尿をパンツ内で吸收し、股からもれないようにしているが、尿量や回数が多い時、また、歩行時下もれする。また、下もれするのではないかと不安を感じる。
特に、サイズが合はず、一段上のサイズを着用した時は、股口は「ユルユル」の状熊になるため、更に、下もれし、また、下もれするのではないかと不安を感じる。
【先行技術文献】
【０００３】      １、特許第６１８２７００号  下もれ防止付き介護パンツ
２、特許第６２５１１５０号  股ずれ防止付き介護用品
【発明の概要】
【発明が解決しようとする課題】
【０００４】  先行技術分献１の下もれ防止付き介護パンツは、介護パンツと尿吸水綿筒を一体に形成しているが、今回の発明は、別々に形成し、製作しやすくすると共に尿吸水綿筒を必要に応じて、使用できるようにすることを目的とする。
【課題を解決するための手段】
【０００５】  実施例１の図１は、介護パンツの外皮と同質の不透水外皮で、下部に、内側向けの反りを付けた筒状の下もれ防止筒を形成し、該上部は、筒のままの縫い代とし、該縫い代下部と反り間の内周に、尿吸水綿筒を数段貼着し、また、介護パンツの両股口を下方に延長すると共に、該股口の下部に内側向けの反りを付け、該反りと介護パンツ下部の反り間の内周に、尿吸水綿筒を貼着し、而して、縫い代を股口に被せ、縫着するか貼着したものである。【０００６】  実施例２の図２は、実施例１の下もれ防止筒を、短かく形成した股口に被せ、縫着するか、貼着したものである。【０００７】  実施例３の図３は、縫い代の外周数箇所に、面フアスナーテープの下部を縫着するか貼着し、両股口には、面フアスナーテープの接着面を縫着するか貼着し、而して、縫い代を股口に被せ、面フアスナーテープの上部を、両股口の面フアスナーテープの接着面に、接着するようにしたものである。【０００８】  実施例３は、介護パンツと下もれ防止筒の接続を、面フアスナーテープで行うようにしたが、次の方式でも実施可能である。【０００９】  すなわち、応用実施例１は、股口の上部周辺と、縫い代の上部周辺に、大径のゴム輪を取り付け、下もれ防止筒の着用後、下もれ防止筒のゴム輪を股口のゴム輪の上に掛け、下もれ防止筒がずり下らないようにしたものである。【００１０】  応用実施例２は、股口の上部周辺に、数箇のボタンを取り付け、また、下もれ防止筒の上部周辺に、吊りひもを付け、下もれ防止筒の着用時に、吊りひもをボタンに掛け、下もれ防止筒がずり下らないようにしたものである。【００１１】  応用実施例３は、外出用として、下もれ防止筒と尿吸水綿筒を小径に形成し、外出時に、ズボン等がふくらまないようにしたものである。
【発明の効果】
【００１２】  実施例１（図１）は、介護パンツと下もれ防止筒を別々に形成し、而して、縫着するか貼着して使用する。
したがって、介護パンツと下もれ防止筒は、一体化されるので、尿量が多い時、歩行や就寝時に、下もれしても、尿吸水綿筒が吸收する。
尚、且、下もれ防止筒内に、中間伝いもれ防止と、反りがあるので、下もれが多くても、階段的に食い止め、下もれを完全に防止する。【００１３】  実施例２（図２）は、下もれ防止筒を、現在型の短かい股口にも、取り付けられるようにしたので、下もれ防止筒の利用範囲を広げることができる。【００１４】  実施例３（図３）は、介護パンツ着用時、下もれ防止筒を面フアスナーテープで簡単に接続するようにしたので、下もれ防止筒を、必要に応じて使用することができる。
従って、外出時や不安の時に着用して好適である。
特に、旅行時に着用すれば、トイレや尿量に心配なく、快適な旅行を楽しむことができる。
また、応用実施例３は、下もれ防止筒を薄く形成したので、ズボン等がふくらまないので、旅行時に安心して着用することができる。
【図面の簡単な説明】
【００１５】
【図１】  実施例１の一部縦断正面図
【図２】  実施例２の一部縦断正面図
【図３】  実施例３の正面図
【発明を実施するための形態】
【００１６】  実施例１（図１）の１は、介護パンツ５と同質の不透水外皮で形成した下もれ防止筒で、該下もれ防筒１の上部は、筒のままの縫い代２とし、下部は反り３を内側に向けて形成している。また、縫い代２下部と反り３間の内周に、尿吸水綿筒４を貼着している。また、介護パンツ５の両股口６を下方に延長し、而して、縫い代２を股口６に被せ、縫着するか貼着している。
また、股口６下部の反り３と、介護パンツ５下部の反り３間の内周に尿吸水綿筒４を貼着している。７は、中間伝いもれ防止で、尿吸水綿筒４の中間部または、数段介在する。
【００１７】  実施例２（図２）は、実施例１（図１）の下もれ防止筒１を、現在型の短い股口６に被せ、縫着するか、貼着している。
【００１８】  実施例３（図３）は、縫い代２の外周数ヶ所に、面フアスナーテープ８の下部を縫着するか貼着し、両股口６には、面フアスナーテープ８が接着する面を縫着するか貼着している。而して、縫い代２を股口６に被せ、面フアスナーテープ８の上部を、両股口６の面フアスナーテープ８の接着面に接着している。
【００１９】  以上の実施例１（図１）において、股口６に、尿吸水綿筒４を貼着するようにしたか、場合により貼着しなくてよい。
【符号の説明】
【００２０】  １    下もれ防止筒
２    縫い代
３    反り
４    尿吸水綿筒
５    介護パンツ
６    股口
７    中間伝いもれ防止
８    面フアスナーテープ
【手続補正２】
【補正対象書類名】特許請求の範囲
【補正対象項目名】全文
【補正方法】変更
【補正の内容】
【特許請求の範囲】
【請求項１】
介護パンツの外皮と同質の不透水外皮で、下部に内側向けの反りを付けた、筒状の下もれ防止筒を形成し、該上部は、筒のままの縫い代とし、該縫い代下部と反り間の内周に、尿吸水綿筒を数段貼着し、また、介護パンツの両股口を下方に延長すると共に、該股口の下部に内側向けの反りを付け、該反りと介護パンツ下部の反り間の内周に、尿吸水綿筒を貼着し、而して、縫い代を股口に被せ、縫着するか貼着したことを特徴とする介護パンツ用下もれ防止筒。
【請求項２】
下もれ防止筒を、短かく形成した股口に被せ、縫着するか貼着したことを特徴とする請求項１記載の介護パンツ用下もれ防止筒。
【請求項３】
下もれ防止筒上部の縫い代の外周数箇所に、面フアスナーテープの下部を縫着するか貼着し、両股口には、面フアスナテープの接着面を縫着するか貼着したことを特徴とする請求項１記載の介護パンツ用下もれ防止筒。
【請求項４】
股口の上部周辺と、縫い代の上部周辺に、大径のゴム輪を取り付け、下もれ防止筒の着用後、下もれ防止筒のゴム輪を、股口のゴム輪の上に掛けるようにしたことを特徴とする請求項３記載の介護パンツ用下もれ防止筒。
【請求項５】
股口の上部周辺に、数箇のボタンを取り付け、また、下もれ防止筒の上部周辺に、吊りひもを付け、下もれ防止筒の着用時に、吊りひもをボタンに掛け、下もれ防止筒がずり下らないようにしたことを特徴とする請求項３記載の介護パンツ用下もれ防止筒。
【請求項６】
前記下もれ防止筒と尿吸水綿筒を外出用として、小径に形成したことを特徴とする言請求項１記載の介護パンツ用下もれ防止筒。